(57)【要約】【課題】機器交換時等における機器情報の設定時の作業負担を軽減することができる機器情報設定装置等を提供する。【解決手段】取得手段１２は、格納形態保管手段１１に保管された第１のフィールド機器２１における格納形態に基づいて、第１のフィールド機器２１に格納されている機器情報を取得する。変換手段１３は、格納形態保管手段１１に保管された第２のフィールド機器２２における格納形態に基づいて、取得手段１２により取得された機器情報を第２のフィールド機器２２における格納形態の機器情報に変換する。【選択図】図１
2011086119.tif 000002
【特許請求の範囲】
【請求項１】
機器情報をフィールド機器に設定する機器情報設定装置において、
第１のフィールド機器における機器情報の格納形態および第２のフィールド機器における機器情報の格納形態を保管する格納形態保管手段と、
前記格納形態保管手段に保管された前記第１のフィールド機器における前記格納形態に基づいて、前記第１のフィールド機器に格納されている機器情報を取得する取得手段と、
前記格納形態保管手段に保管された前記第２のフィールド機器における前記格納形態に基づいて、前記取得手段により取得された前記機器情報を前記第２のフィールド機器における格納形態の機器情報に変換する変換手段と、
前記変換手段により得られた前記機器情報を前記第２のフィールド機器に書き込む書込み手段と、
を備えることを特徴とする機器情報設定装置。
【請求項２】
前記変換手段は前記第１のフィールド機器および前記第２のフィールド機器の機器情報にそれぞれ含まれる同一のラベル名が付されたパラメータの値が一致するように機器情報を変換することを特徴とする請求項１に記載の機器情報設定装置。
【請求項３】
前記第１のフィールド機器および前記第２のフィールド機器の機器情報にそれぞれ含まれるパラメータの対応付けの指示を受け付ける受付手段を備え、
前記変換手段は、前記受付手段で受け付けた指示に従って対応するパラメータの値が一致するように機器情報を変換することを特徴とする請求項１または２に記載の機器情報設定装置。
【請求項４】
第１のフィールド機器に格納された機器情報を第２のフィールド機器に設定する機器情報設定方法において、
前記第１のフィールド機器における機器情報の格納形態および前記第２のフィールド機器における機器情報の格納形態を保管するステップと、
前記保管するステップにより保管された前記第１のフィールド機器における前記格納形態に基づいて、前記第１のフィールド機器に格納されている機器情報を取得するステップと、
前記保管するステップにより保管された前記第２のフィールド機器における前記格納形態に基づいて、前記取得するステップにより取得された前記機器情報を前記第２のフィールド機器における格納形態の機器情報に変換するステップと、
前記変換するステップにより得られた前記機器情報を前記第２のフィールド機器に書き込むステップと、
を備えることを特徴とする機器情報設定方法。
【請求項５】
前記変換するステップでは、前記第１のフィールド機器および前記第２のフィールド機器の機器情報にそれぞれ含まれる同一のラベル名が付されたパラメータの値が一致するように機器情報を変換することを特徴とする請求項４に記載の機器情報設定方法。
【請求項６】
前記第１のフィールド機器および前記第２のフィールド機器の機器情報にそれぞれ含まれるパラメータの対応付けの指示を受け付けるステップを備え、
前記変換手段は、前記受け付けるステップで受け付けた指示に従って対応するパラメータの値が一致するように機器情報を変換することを特徴とする請求項４または５に記載の機器情報設定方法。
【発明の詳細な説明】
【技術分野】
【０００１】
本発明は、機器情報をフィールド機器に設定する機器情報設定装置および機器情報設定方法に関する。
【背景技術】
【０００２】
ユーザがフィールドバス機能を有するフィールド機器の設定、調整、保全作業を行う際には、フィールド機器から機器情報を取得、編集する。機器情報には各フィールド機器が持つ管理情報や各機器に特有の機器パラメータが含まれる。機器情報の取得、編集時には機器ベンダーが独自に開発したソフトウェアツールやプログラムを使用する必要がある。
【先行技術文献】
【非特許文献】
【０００３】
【非特許文献１】竹内徹夫、「新しいフィールド機器管理ツールの枠組みFDT/DTM」、横河技報、横河電機株式会社、Ｖｏｌ．５１  Ｎｏ．２（２００７）
【発明の概要】
【発明が解決しようとする課題】
【０００４】
上記のソフトウェアツールやプログラムは機器ごとに用意される。また同一機器であっても機器リヴィジョンが異なると、機器パラメータ数や内容に変更が生じるため、別々のソフトウェアやプログラムが用意されることが多い。このため、同一機能、同一機種であっても、機器リヴィジョンが異なれば複数のソフトウェアやプログラムが必要となる。
【０００５】
しかし、機器交換を行う際に、同一機種、同一リヴィジョンの機器を用意できない場合もあり、この場合には機器情報を新たな機器に対して自動的に設定できなくなる。例えば、フィールド機器の製品寿命は長く、故障等による交換が必要になった場合に同一リヴィジョンの代替機を用意することは困難である。このような状況は、機器交換時に手動での設定作業を必要としユーザの作業負担を重くしている。また、メーカの異なるフィールド機器への入れ替えを行う場合にも機器情報の設定には煩雑な作業が必要で、導入時のコストを高める原因となる。
【０００６】
本発明の目的は、機器交換時等における機器情報の設定時の作業負担を軽減することができる機器情報設定装置等を提供することにある。
【課題を解決するための手段】
【０００７】
本発明の機器情報設定装置は、機器情報をフィールド機器に設定する機器情報設定装置において、第１のフィールド機器における機器情報の格納形態および第２のフィールド機器における機器情報の格納形態を保管する格納形態保管手段と、前記格納形態保管手段に保管された前記第１のフィールド機器における前記格納形態に基づいて、前記第１のフィールド機器に格納されている機器情報を取得する取得手段と、前記格納形態保管手段に保管された前記第２のフィールド機器における前記格納形態に基づいて、前記取得手段により取得された前記機器情報を前記第２のフィールド機器における格納形態の機器情報に変換する変換手段と、前記変換手段により得られた前記機器情報を前記第２のフィールド機器に書き込む書込み手段と、を備えることを特徴とする機器情報設定装置。
この機器情報設定装置によれば、第１のフィールド機器における格納形態に基づいて第１のフィールド機器に格納されている機器情報を取得し、第２のフィールド機器における格納形態に基づいて、この機器情報を第２のフィールド機器における格納形態の機器情報に変換するので、機器交換時等における機器情報の設定時の作業負担を軽減することができる。
【０００８】
前記機器情報はパラメータを含むとともに、前記格納形態保管手段に保管された前記格納形態は、前記機器情報に含まれる前記パラメータをラベル名に対応付ける情報を含み、前記変換手段は前記第１のフィールド機器および前記第２のフィールド機器の機器情報に同一のラベル名が付されたパラメータの値が一致するように機器情報を変換してもよい。
【０００９】
前記機器情報に含まれる前記パラメータをラベル名に対応付ける前記情報の編集を受け付ける編集受付手段を備えてもよい。
【００１０】
本発明の機器情報設定方法は、第１のフィールド機器に格納された機器情報を第２のフィールド機器に設定する機器情報設定方法において、前記第１のフィールド機器における機器情報の格納形態および前記第２のフィールド機器における機器情報の格納形態を保管するステップと、前記保管するステップにより保管された前記第１のフィールド機器における前記格納形態に基づいて、前記第１のフィールド機器に格納されている機器情報を取得するステップと、前記保管するステップにより保管された前記第２のフィールド機器における前記格納形態に基づいて、前記取得するステップにより取得された前記機器情報を前記第２のフィールド機器における格納形態の機器情報に変換するステップと、前記変換するステップにより得られた前記機器情報を前記第２のフィールド機器に書き込むステップと、を備えることを特徴とする。
この機器情報設定方法によれば、第１のフィールド機器における格納形態に基づいて第１のフィールド機器に格納されている機器情報を取得し、第２のフィールド機器における格納形態に基づいて、この機器情報を第２のフィールド機器における格納形態の機器情報に変換するので、機器交換時等における機器情報の設定時の作業負担を軽減することができる。
【００１１】
前記機器情報はパラメータを含むとともに、前記保管するステップにより保管された前記格納形態は、前記機器情報に含まれる前記パラメータをラベル名に対応付ける情報を含み、前記変換するステップでは、前記第１のフィールド機器および前記第２のフィールド機器の機器情報に同一のラベル名が付されたパラメータの値が一致するように機器情報を変換してもよい。
【００１２】
前記機器情報に含まれる前記パラメータをラベル名に対応付ける前記情報の編集を受け付けるステップを備えてもよい。
【発明の効果】
【００１３】
本発明の機器情報設定装置によれば、第１のフィールド機器における格納形態に基づいて第１のフィールド機器に格納されている機器情報を取得し、第２のフィールド機器における格納形態に基づいて、この機器情報を第２のフィールド機器における格納形態の機器情報に変換するので、機器交換時等における機器情報の設定時の作業負担を軽減することができる。
【００１４】
本発明の機器情報設定方法によれば、第１のフィールド機器における格納形態に基づいて第１のフィールド機器に格納されている機器情報を取得し、第２のフィールド機器における格納形態に基づいて、この機器情報を第２のフィールド機器における格納形態の機器情報に変換するので、機器交換時等における機器情報の設定時の作業負担を軽減することができる。
【図面の簡単な説明】
【００１５】
【図１】一実施形態の機器情報設定装置の構成を示すブロック図。
【図２】機器情報設定装置の動作を示すフローチャート。
【図３】機器情報データ作成処理を示すフローチャート。
【発明を実施するための形態】
【００１６】
以下、本発明による機器情報設定装置の実施形態について説明する。
【００１７】
図１は、本実施形態の機器情報設定装置の構成を示すブロック図である。
【００１８】
図１に示す第１のフィールド機器２１および第２のフィールド機器２２はいずれもフィールドバス通信機能を有するとともに、両者は同一機能をもつ機器であり、第１のフィールド機器２１を第２のフィールド機器２２へ交換する場合の作業を想定している。
【００１９】
図１に示すように、機器情報設定装置１には、第１のフィールド機器２１における機器情報の格納形態および第２のフィールド機器２２における機器情報の格納形態を保管する格納形態保管手段１１と、格納形態保管手段１１に保管された第１のフィールド機器２１における格納形態に基づいて、第１のフィールド機器２１に格納されている機器情報を取得する取得手段１２と、格納形態保管手段１１に保管された第２のフィールド機器２２における格納形態に基づいて、取得手段１２により取得された機器情報を第２のフィールド機器２２における格納形態の機器情報に変換する変換手段１３と、変換手段１３により得られた機器情報を第２のフィールド機器２２に書き込む書込み手段１４と、第１のフィールド機器２１および第２のフィールド機器１１の機器情報にそれぞれ含まれるパラメータの対応付けの指示を受け付ける受付手段１５が構成される。
【００２０】
機器情報設定装置１は、コンピュータの機能の一部として構成される。コンピュータには、このコンピュータを格納形態保管手段１１、取得手段１２、変換手段１３、書込み手段１４および受付手段１５として機能させるプログラムが実装される。
【００２１】
図２および図３は、機器情報設定装置１の動作を示すフローチャートである。
【００２２】
図２のステップＳ１では、取得手段１２により第１のフィールド機器２１に格納された機器情報データを取得、保存する。
【００２３】
次に、ステップＳ２では、取得手段１２は、格納形態保管手段１１に保管された第１のフィールド機器２１の格納形態を参照することにより、上記の機器情報データから機器パラメータおよび操作ログを抽出、保存する。ここで、第１のフィールド機器２１の格納形態には、フィールド機器２１に格納された機器情報データのうちのどの部分にどの機器パラメータが格納され、どの部分に操作ログが格納されているかを示す情報が含まれている。また、操作ログは機器情報データの書込み、消去、編集についての履歴データである。
【００２４】
次に、ステップＳ３では、取得手段１２により第２のフィールド機器２２に格納された機器情報データを取得、保存する。
【００２５】
次にステップＳ４では、変換手段１３により、以下のステップＳ４１〜ステップＳ４６（図３）に示す機器情報データ作成処理を実行する。この処理では、第２のフィールド機器２２に書き込むべき機器情報データを作成する。
【００２６】
ステップＳ４１では、ステップＳ２で保存された第１のフィールド機器２１の機器パラメータの中から１つのパラメータを選択する。
【００２７】
次にステップＳ４２では、格納形態保管手段１１に保管された第２のフィールド機器２２の格納形態を参照することにより、選択されている第１のフィールド機器２１のパラメータと同一ラベル名のパラメータが第２のフィールド機器２２のパラメータ情報に含まれているか否か判断する。ここで、第２のフィールド機器２２の格納形態には、フィールド機器２２に格納された機器情報データのうちのどの部分にどのパラメータが格納され、どの部分に操作ログが格納されているかを示す情報が含まれている。また、ラベル名とパラメータとの対応関係は、第１のフィールド機器２１の機器情報データおよび第２のフィールド機器２２の機器情報データにそれぞれ規定されていてもよく、あるいは、格納形態保管手段１１に保管された第１のフィールド機器２１の格納形態および第２のフィールド機器２２の格納形態にそれぞれ規定されていてもよい。
【００２８】
ステップＳ４２の判断が肯定されればステップＳ４３へ進み、否定されればステップＳ４４へ進む。
【００２９】
ステップＳ４３では、選択されている第１のフィールド機器２１のパラメータ（ラベル名が同一のパラメータ）について、ステップＳ３で保存されている第２のフィールド機器２２のパラメータのパラメータ値を、第１のフィールド機器２１のパラメータの値に置換し、ステップＳ４８へ進む。
【００３０】
ステップＳ４４では、受付手段１５に保管されたパラメータの対応付けを参照することにより、選択されている第１のフィールド機器２１のパラメータと対応付けられている第２のフィールド機器２２のパラメータがあるか否か判断する。
【００３１】
ステップＳ４４の判断が肯定されればステップＳ４５へ進み、否定されればステップＳ４６へ進む。
【００３２】
ステップＳ４５では、選択されている第１のフィールド機器２１のパラメータに対応付けられている第２のフィールド機器２２のパラメータの値を、第１のフィールド機器２１のパラメータの値に置換し、ステップＳ４８へ進む。
【００３３】
一方、ステップＳ４６では、選択されている第１のフィールド機器２１のパラメータに対応付けるべき第２のフィールド機器２２のパラメータの指定を受け付け、ステップＳ４７へ進む。ここでは、受付手段１５を介してユーザの操作を受け付ける。ユーザは、選択されている第１のフィールド機器２１のパラメータに対応付けるべき第２のフィールド機器２２のパラメータを指定できる。ユーザにより指定されたパラメータの対応付けは、受付手段１５に保管される。
【００３４】
ステップＳ４７では、選択されている第１のフィールド機器２１のパラメータに対応付けられた第２のフィールド機器２２のパラメータの値を、第１のフィールド機器２１のパラメータの値に置換し、ステップＳ４８へ進む。
【００３５】
ステップＳ４８では、第１のフィールド機器２１のすべてのパラメータについて、パラメータ値の置換（ステップＳ４３、ステップＳ４５、ステップＳ４７）が終了したか否か判断し、判断が肯定されればステップＳ４９へ進む。判断が否定されればステップＳ４１へ戻り、次のパラメータが選択される。
【００３６】
ステップＳ４９では、第２のフィールド機器２２の操作ログのデータを、第１のフィールド機器２１の操作ログのデータに置換する。これにより、第２のフィールド機器２２に書き込むべき機器情報データが作成される。
【００３７】
次に、ステップＳ５（図２）では、変換手段１３により作成された機器情報データを書込み手段１４により書き込み、処理を終了する。この機器情報データは第２のフィールド機器２２に転送され、格納される。
【００３８】
以上のように、本実施形態の機器情報設定装置によれば、同一ラベル名のパラメータやユーザにより対応付けられたパラメータについては、自動的にパラメータ値を設定することができる。このため、リヴィジョンの異なる機器への交換時などにおける機器情報の設定のための作業負担を大幅に軽減できる。
【００３９】
また、ユーザによりパラメータの対応付けを行うことができるとともに、その対応付けを保存し機器情報の自動設定に再利用できるため、他社機器への交換時などにおける作業負担を軽減することができる。
【００４０】
また、本実施形態の機器情報設定装置を機器情報の初期設定に利用することもできる。この場合、初期設定の対象機器が第２のフィールド機器に相当する。また、第２のフィールド機器を実機ではなくコンピュータ上で再現される仮想機器とすることで、シミュレーションや教育等に利用することもできる。
【００４１】
以上説明したように、本発明の機器情報設定装置によれば、第１のフィールド機器における格納形態に基づいて第１のフィールド機器に格納されている機器情報を取得し、第２のフィールド機器における格納形態に基づいて、この機器情報を第２のフィールド機器における格納形態の機器情報に変換するので、機器交換時等における機器情報の設定時の作業負担を軽減することができる。
【００４２】
本発明の適用範囲は上記実施形態に限定されることはない。本発明は、機器情報をフィールド機器に設定する機器情報設定装置に対し、広く適用することができる。
【符号の説明】
【００４３】
１      機器情報設定装置
１１    格納形態保管手段
１２    取得手段
１３    変換手段
１４    書込み手段
１５    受付手段
【図１】
2011086119.tif 000003
【図２】
2011086119.tif 000004
【図３】
2011086119.tif 000005